(57)【要約】【課題】正確なコンテンツを掲載するとともに、サイト構築を自動化して百科事典作成者の作業をテキストや画像を作成する電子化の作業に限定することでサイトの更新を容易にするシステムを得る。【解決手段】ＤＴＤデータと百科事典用コンテンツデータを含むＸＭＬデータとマルチメディアデータをデータベースに登録するプログラムと、  前記ＸＭＬデータと前記マルチメディアデータそれぞれに対応する仮パス情報と静的データを生成するプログラムと、  前記仮パス情報ファイルから実パス情報ファイルを生成するプログラムと、  ネットワーク経由で接続される管理端末に仮パス情報と前記ＸＭＬデータと前記マルチメディアデータを提供するプログラムと、を備えるコンテンツマネジメントサーバと、  利用者端末には前記管理端末認証後に実パス情報と前記ＸＭＬデータと前記マルチメディアデータとから生成されるＸＨＴＭＬデータを提供するｗｅｂアプリサーバとを備える。【選択図】図１
2008065397.tif 000002
【特許請求の範囲】
【請求項１】
ＤＴＤデータと百科事典用コンテンツデータを含むＸＭＬデータとマルチメディアデータをデータベースに登録するプログラムと、
前記ＸＭＬデータと前記マルチメディアデータそれぞれに対応する仮パス情報と静的データを生成するプログラムと、
前記仮パス情報ファイルから実パス情報ファイルを生成するプログラムと、
ネットワーク経由で接続される管理端末に仮パス情報と前記ＸＭＬデータと前記マルチメディアデータを提供するプログラムと、
を備えるコンテンツマネジメントサーバと、
ネットワーク経由で接続される利用者端末には前記管理端末認証後に実パス情報と前記ＸＭＬデータと前記マルチメディアデータとから生成されるＸＨＴＭＬデータを提供するｗｅｂアプリサーバとを備えて、
利用者端末のｗｅｂブラウザからの要求信号に応じて動的生成データであるｗｅｂページデータを利用者端末に表示させるコンテンツマネジメントシステム。
【請求項２】
百科事典用コンテンツデータは、
見出し語と説明文章を含む百科事典本文コンテンツデータと、
前記百科事典本文コンテンツを検索する検索ツールと、
説明文章を補足する画像と映像と音声を含むマルチメディアコンテンツデータと、前記百科事典本文コンテンツを別途記録するスクラップコンテンツデータと、
利用者のデータが記録される利用者コンテンツデータと、
利用者と百科事典製作者間で情報を交換できるインタラクティブコンテンツデータのいずれか一つを含むことを特徴とする請求項１記載のコンテンツマネジメントシステム。
【請求項３】
検索ツールは、見出し語を５０音順に表示する５０音順見出し語検索ツールと、見出し語又は本文中のキーワードが一致するキーワード検索ツールと、見出し語をテーマ別にカテゴリー分けしたテーマを選択して表示するテーマ別検索ツールのいずれか一つを含むことを特徴とする請求項２記載のコンテンツマネジメントシステム。
【請求項４】
スクラップコンテンツデータは、データベースに格納される百科事典本文コンテンツデータの一部であるコンテンツデータと、既成のスクラップデータと関連するデータからなることを特徴とする請求項２記載のコンテンツマネジメントシステム。
【請求項５】
利用者コンテンツデータは、百科事典本文に関連して出題されるクイズに対して利用者端末から入力されたデータが予めデータベースに記録された正解データと一致した場合に配点されるポイントを表示するポイントデータと、利用者アカウントと百科事典製作者アカウントの間で送受信可能な電子メールデータと、利用者が編集可能な利用者ホームページデータとを備える請求項２記載のコンテンツマネジメントシステム。
【請求項６】
インタラクティブコンテンツデータは、
動画とその動画の作成時期とアクセス数とテーマのいずれかによってソートされた動画コンテンツデータと、
百科事典本文の内容を回答とするクイズデータと、そのクイズに対するアクセス数またはテーマのいずれかによってソートされたクイズコンテンツデータと、
複数の利用者が自在に書き込まれた電子掲示板コンテンツデータと、
利用者が作成するホームページデータと、そのホームページに対するアクセス数と百科事典作成者による推薦ホームページである旨のフラッグデータと各ホームページのテーマと各ホームページのキーワードのいずれかによってホームページの一覧を表示可能なホームページコンテンツデータと、
百科事典本文において百科事典作成者による推薦本文である旨のフラッグデータと各項目の作成または更新時期とのいずれかによって生成される項目の一覧を表示する項目コレクションコンテンツデータと、
過去に実施されたアンケートデータとその集計結果データと現在実施中のアンケートデータとその途中経過データよりなるアンケートコンテンツデータと、
これまでに利用者より多くなされている質問データとその回答データよりなるＦＡＱコンテンツデータと、
学校教材である教科書と百科事典データとの学年や教科のコンテンツデータを含む対応表データとを対応させる教科書対応表を構成するコンテンツデータと、
利用者の教師や保護者のアカウントによる書き込み可能な電子掲示板コンテンツデータからなる請求項２記載のコンテンツマネジメントシステム。
【発明の詳細な説明】
【技術分野】
【０００１】
本発明は、ネットワークを介して提供する電子百科事典をマネジメントするコンテンツマネジメントシステムに関し、特に利用者が電子百科事典の作成に関与することのできるコンテンツマネジメントシステムに関する。
【背景技術】
【０００２】
中国は明時代の三才図会に始まる百科事典は、メディアとして紙に始まり、その後１９８０年代に入り、メディアとしてＣＤ−ＲＯＭが使用されはじめ、２０００年になりＮｕｐｅｄｉａなるインターネットをメディアとする百科事典が登場した。
【０００３】
インターネットをメディアとする百科事典において、改版が即日に可能なために従来から百科事典の課題とされていた情報の常時更新が可能となっている。
【０００４】
例えば特許文献１では「辞書ユーザからの情報により辞書の内容を更新するための辞書情報更新装置であり、電子辞書ユーザにて発見された誤植の情報に基づいて容易に辞書内容を更新する」発明が開示されている。
【０００５】
【特許文献１】特開２００４−６２３０６号
【発明の開示】
【発明が解決しようとする課題】
【０００６】
特許文献１は、特にはユーザの指摘による誤植情報の訂正を主に目的としたものである。従って、新規項目の追加や一章分等の大量の情報の追加に適しているものではない。
【０００７】
又、インターネットでの更新を容易にする方法として記事そのものをユーザに任せるWikipediaも２００１年から開始されている。
【０００８】
しかしながら記事を改版するのは不特定多数のユーザであり、その内容の信用性についての確実性が必ずしも高くなく、アクセスする側の自己責任でその情報の真偽につき判断する必要が生じる。
【０００９】
一方、その分野の専門家より情報を得て更新する場合は、情報をテキストや画像を作成する電子化の作業と、インターネット上のフォーマットに適合させるために、ＨＴＭＬ（Hyper Text Markup Language）やＣＳＳ（Cascading Style Sheets）などの言語でレイアウトや装飾を行ない、ページ間にハイパーリンクを設定するなどのサイト構築作業をする必要が生じる。
【００１０】
そこで、本発明の目的は、正確なコンテンツを迅速に掲載するとともに、サイト構築を自動化して百科事典作成者の作業をテキストや画像を作成する電子化の作業に限定することでサイトの更新を容易に行なうことのできるシステムを提供することにある。
【課題を解決するための手段】
【００１１】
前記の目的を達成するために本発明に係るコンテンツマネジメントシステムは、ＤＴＤデータと百科事典用コンテンツデータを含むＸＭＬデータとマルチメディアデータをデータベースに登録するプログラムと、
前記ＸＭＬデータと前記マルチメディアデータそれぞれに対応する仮パス情報と静的データを生成するプログラムと、
前記仮パス情報ファイルから実パス情報ファイルを生成するプログラムと、
ネットワーク経由で接続される管理端末に仮パス情報と前記ＸＭＬデータと前記マルチメディアデータを提供するプログラムと、
を備えるコンテンツマネジメントサーバと、
ネットワーク経由で接続される利用者端末には前記管理端末認証後に実パス情報と前記ＸＭＬデータと前記マルチメディアデータとから生成されるＸＨＴＭＬデータを提供するｗｅｂアプリサーバとを備えて、
利用者端末のｗｅｂブラウザからの要求信号に応じて動的生成データであるｗｅｂページデータを利用者端末に表示させる。
【００１２】
また、百科事典用コンテンツデータは、
見出し語と説明文章を含む百科事典本文コンテンツデータと、
前記百科事典本文コンテンツを検索する検索ツールと、
説明文章を補足する画像と映像と音声を含むマルチメディアコンテンツデータと、前記百科事典本文コンテンツを別途記録するスクラップコンテンツデータと、
利用者のデータが記録される利用者コンテンツデータと、
利用者と百科事典製作者間で情報を交換できるインタラクティブコンテンツデータのいずれか一つを含むことを特徴とする。
【００１３】
さらに、検索ツールは、見出し語を５０音順に表示する５０音順見出し語検索ツールと、見出し語又は本文中のキーワードが一致するキーワード検索ツールと、見出し語をテーマ別にカテゴリー分けしたテーマを選択して表示するテーマ別検索ツールのいずれか一つを含むことを特徴とする。
【００１４】
次に、スクラップコンテンツデータは、データベースに格納される百科事典本文コンテンツデータから選択されたコンテンツデータと、既成のスクラップデータにさらに追加されたデータからなることを特徴とする。
【００１５】
続いて、利用者コンテンツデータは、百科事典本文に関連して出題されるクイズに対して利用者端末から入力されたデータが予めデータベースに記録された正解データと一致した場合に配点されるポイントを表示するポイントデータと、利用者アカウントと百科事典製作者アカウントの間で送受信可能な電子メールデータと、利用者が編集可能な利用者ホームページデータとを備える。
【００１６】
加えて、インタラクティブコンテンツデータは、
動画とその動画の作成時期とアクセス数とテーマのいずれかによってソートする機能を有する動画コンテンツデータと、
百科事典本文の内容を回答とするクイズデータと、そのクイズに対するアクセス数またはテーマのいずれかによってソートされているクイズコンテンツデータと、
複数の利用者が自在に書き込み可能な電子掲示板コンテンツデータと、
利用者が作成するホームページデータと、そのホームページに対するアクセス数と百科事典作成者による推薦ホームページである旨のフラッグデータと各ホームページのテーマと各ホームページのキーワードのいずれかによってホームページの一覧を表示可能なホームページコンテンツデータと、
百科事典本文において百科事典作成者による推薦本文である旨のフラッグデータと各項目の作成または更新時期とのいずれかによって生成される項目の一覧を表示する項目コレクションコンテンツデータと、
過去に実施されたアンケートデータとその集計結果データと現在実施中のアンケートデータとその途中経過データよりなるアンケートコンテンツデータと、
これまでに利用者より多くなされている質問データとその回答データよりなるＦＡＱコンテンツデータと、
学校教材である教科書と百科事典データとの学年や教科のコンテンツデータを含む対応表データとを対応させる教科書対応表を構成するコンテンツデータと、
利用者の教師や保護者のアカウントによる書き込み可能な電子掲示板コンテンツデータからなる。
【発明の効果】
【００１７】
本発明を実施することで、百科事典作成者はＨＴＭＬ等の知識を習得することなく、ホームページデザイナーはテキストが更新時にＨＴＭＬ編集に付随する高度な編集作業を行なう必要がなくなるという利点がある。
【発明を実施するための最良の形態】
【００１８】
以下に、この発明の実施形態例を、図面を用いて説明する。
【００１９】
（コンテンツマネジメントシステムの構成）
先ず、図１、２を用いて本発明に係るコンテンツマネジメントシステムの構成について説明する。本コンテンツマネジメントシステムは主にインターネット上で閲覧することのできる百科事典を対象とするものである。図１は、本発明に係るコンテンツマネジメントシステムのブロックダイヤグラムを示し、図２にそのフロウチャートを示す。
【００２０】
本発明に係るコンテンツマネジメントシステム２は、コンテンツマネジメントサーバ（Contents Management Server:CMS）４とデータベース６と仮想データ８とＷｅｂアプリサーバ１０とから構成される。
【００２１】
コンテンツマネジメントサーバ４は、マルチメディアデータ１２とＸＭＬ（Extensible Markup Language）ファイル１４とＤＴＤ（Document Type Definition）データ１６が入力されるとデータベース６に登録する登録プログラムと、前記ＸＭＬファイル１４と前記マルチメディアデータ１２それぞれに対応する仮パス情報ファイル１８を静的データとして生成する静的データ生成プログラムと、前記仮パス情報ファイル１８から実パス情報ファイル２０を生成する実パス情報ファイル生成プログラムを備える。さらに、コンテンツマネジメントサーバ４における動的データ生成プログラムは、Ｗｅｂアプリサーバ１０と接続されて外部端末からのアクセスに対して実パス情報ファイル２０とＸＭＬファイル１４とからＸＨＴＭＬファイルをＰＨＰ技術により生成して提供する機能を有する。
【００２２】
データベース６は、マルチメディアデータ１２とＸＭＬファイル１４とＤＴＤデータ１６が登録される。マルチメディアデータ１２は、画像データ２２と映像データ２４と音声データ２６からなる。ＸＭＬファイル１４は、構造化された文書データである。ＤＴＤデータ１６は、構造化された文書の型の定義を示したものである。
【００２３】
仮想データ８は、ＣＭＳ４が生成するデータであり、仮パス情報ファイル１８と実パス情報ファイル２０と静的データ２８とストレージデータ３０とＸＭＬファイル３２とから構成される。
【００２４】
仮パス情報ファイル１８は、データ公開前に管理者端末３８から確認するためのストレージデータ３０とＸＭＬファイル３２の配置情報であるパス情報であって利用者端末３６や外部端末からアクセスできない情報である。
【００２５】
実パス情報ファイル２０は、管理者端末３８から承認後に仮パス情報ファイル１８から更新されるストレージデータ３０とＸＭＬファイル３２の配置情報であるパス情報であって利用者端末３６や外部端末からアクセスできる情報である。
【００２６】
静的データ２８は、５０音一覧データ、テーマ一覧データ、見出し語一覧データであり、登録データ確認用のデータである。
【００２７】
ストレージデータ３０は、画像データ２２と映像データ２４と音声データ２６からなるマルチメディアデータ１２に加えて説明文データや表などを含む百科事典本文を構成する素材データである。
【００２８】
ＸＭＬファイル３２は、構造化された文書ファイルである。
【００２９】
ｗｅｂアプリサーバ１０は、ＣＭＳ４とネットワーク経由で接続される利用者端末３６には前記管理者端末３８の認証後に実パス情報ファイル２０と前記ＸＭＬファイル３２と前記マルチメディアデータ１２からＸＨＴＭＬファイルを提供する。
【００３０】
コンテンツマネジメントシステム２は、インターネット等のネットワーク３４を経由して利用者端末３６と管理者端末３８とそれぞれ接続される。
【００３１】
利用者端末３６は、パーソナルコンピュータ等で構成されて、特にｗｅｂブラウザ４０とＧＵＩ部４４が搭載される。
【００３２】
ｗｅｂブラウザ４０は、アドビ社のフラッシュプレイヤー（登録商標）とアドビ社のアクロバットリーダー（登録商標）を搭載して動作可能であることが必須であり、ブラウザとしては特にマイクロソフト社のインターネットエクスプローラ（登録商標）が好ましい。
【００３３】
ＧＵＩ（Graphical
User Interface）部４４は、ユーザに対する情報の表示にグラフィックを多用し、大半の基礎的な操作をマウスなどのポインティングデバイスによって行なうことができるユーザインターフェースを示すマクロプログラムである。
【００３４】
一方、管理者端末３８もまたパーソナルコンピュータ等で構成可能であるが特にｗｅｂブラウザ４６とプレビューＧＵＩ部５０と、管理用ＧＵＩ部５２とが接続される。
【００３５】
ｗｅｂブラウザ４６は、アドビ社のフラッシュプレイヤー（登録商標）とアドビ社のアクロバットリーダー（登録商標）を搭載して動作可能であることが必須であり、ブラウザとしては特にマイクロソフト社のインターネットエクスプローラ（登録商標）が好ましい。
【００３６】
プレビューＧＵＩ部５０は、管理者端末３８から利用者端末３６と同様のＨＰを閲覧することができるように設定される。
【００３７】
管理用ＧＵＩ部５２部は、本発明に係るＣＭＳ４を制御する外部端末であり、閲覧用にホームページの状態で閲覧するのではなくデータベース６に登録してあるマルチメディアデータその他のデータを閲覧または登録することのできる端末である。また、管理用ＧＵＩ部５２部から登録するのはテキスト５４とマルチメディア５６であり、特段のＨＴＭＬやＸＭＬの技術を必要することなく登録できる。
【００３８】
（コンテンツマネジメントシステムの作用）
続いて、図２を用いて本発明に係るコンテンツマネジメントシステムの作用について説明する。
【００３９】
先ず、第１にマルチメディアデータ１２とＸＭＬファイル１４とＤＴＤデータ１６が入力されると、登録プログラムがこれらのマルチメディアデータ１２とＸＭＬファイル１４とＤＴＤデータ１６をデータベース６に格納するとともに、各データのタイトルとキーワードとＸＭＬ仮パス情報ファイルを生成してデータベース６に登録する（Ａ２）。マルチメディアデータ１２とＸＭＬファイル１４とＤＴＤデータ１６の入力は、直接データの入力とＤＶＤ等に予め登録されているデータの変換がなされても良い。
【００４０】
続いて静的データ生成プログラムがマルチメディアデータ１２とＸＭＬファイル１４とＤＴＤデータ１６より、５０音別データ、テーマ別データ、見出し語一覧などの静的データ２８をＸＨＴＭＬデータとして生成する（Ａ４）。
【００４１】
さらに、静的データ生成プログラムが管理用にマルチメディアデータ１２とＸＭＬファイル１４とＤＴＤデータ１６の仮パス情報ファイル１８を生成して登録する（Ａ６）。
【００４２】
続いて管理者端末３８の管理用ＧＵＩ部５２より、コンテンツ新規追加や更新によりデータ更新がなされる（Ａ８）。
【００４３】
前記データ更新によって仮パス情報ファイル１８に変更が生じた場合は、再度静的データ生成プログラムが仮パス情報ファイル１８を生成する（Ａ１０）。
【００４４】
ここで、管理者端末３８の接続においてプレビューＧＵＩ部５０よりＸＨＴＭＬデータを送信してプレビューＧＵＩ部５２から閲覧することにより仮パス情報ファイル１８に対する認証信号をＣＭＳ４が受信する（Ａ１２）。
【００４５】
実パス情報ファイル生成プログラムは、認証された仮パス情報ファイル１８より、利用者端末３６から閲覧可能に設定される実パス情報ファイル２０を生成する（Ａ１４）。この際に、実パス情報ファイル２０の生成日と更新日は別途登録される。
【００４６】
なお、実パス情報ファイル２０の他に利用者アカウントＩＤとパスワード情報もデータベース６に登録され、氏名、ハンドルネーム、検索履歴、調査項目数、クイズ得点ポイントと共に登録される（Ａ１６）。
【００４７】
このため、利用者端末３６から本システムが閲覧される場合、利用者アカウントに対応したハンドルネーム、調査項目数、クイズ得点ポイントとともに動的ファイルであるＸＨＴＭＬファイルが生成されて利用者端末３６に表示するよう設定される（Ａ１８）。
【００４８】
以上のように構成することでリアルタイムにデータベースのデータが変更されても、直ちに反映することができる。また、動的生成プログラムについてＣＭＳ４を経由してリアルタイムに生成するＸＨＴＭＬページを再生する場合について説明したが、上記ＸＨＴＭＬページで表現されるウェブページを一部予め生成しておき、利用者端末が予め生成したページにアクセスするように変更することは設計変更の範囲内である。例えば五十音検索ページやテーマ別検索の項目等は予めウェブページを生成させておくことで、ウェブページの表示速度を向上させることができる。
【００４９】
（百科事典システムの動作）
続いて、本発明に係るコンテンツマネジメントシステムによって動作する百科事典システムの動作について、図３〜図４８を用いて詳細に説明する。
【００５０】
（ログイン工程）
図３に予めＩＤとパスワードの登録された利用者が本システムにログインするフロウチャートを示す。
【００５１】
ｗｅｂアプリサーバ１０に対して利用者端末３６からアクセスがあった場合は、百科事典システムのＨＴＭＬを送信して利用者端末３６に表示させる（Ｂ２）。
【００５２】
利用者端末３６のＧＵＩ部４４からログイン要求信号が送信された場合は、アカウントＩＤ入力欄とパスワード入力欄が設けられたログイン画面ＨＴＭＬがブラウザ４０に対して送信されて、ブラウザ４０に表示される（Ｂ４）。
【００５３】
これに対してＧＵＩ部４４から利用者のアカウントＩＤとパスワードがそれぞれの入力欄に入力されて、ｗｅｂアプリサーバ１０に送信される。ｗｅｂアプリサーバ１０は、ＣＭＳ４経由でデータベース６に検索させて、入力されたアカウントＩＤとパスワードについてログイン判定する（Ｂ６）。
【００５４】
ログイン判定の結果、データベースに登録されたＩＤ、パスワードと一致した場合は、ログイン後画面（図２６）を表示する（Ｂ８）。その後は工程Ａへ進む。
【００５５】
ログイン判定の結果、データベースに登録されたＩＤ、パスワードと一致しない場合は、エラー画面表示される（Ｂ１０）。
【００５６】
エラー画面にはパスワード再入手ボタンが表示され、パスワード再入手ボタンを選択した場合は、パスワード再入手画面が表示される（Ｂ１２）。その後再びトップページに移動する。
【００５７】
（ホーム表示）
以下の全ての説明は図４に表示されている本発明に係るコンテンツマネジメントシステムの百科事典システムにおける各ブロックについて説明の説明となる。以下タブごとに説明し、更に詳細に説明する。
【００５８】
ログイン後画面（図２６）を示す工程として図４に表示する。ログイン後画面（図２６）は、共通項表示６０と、ホーム表示６２として、ホームタブ表示、検索などの調査タブ６４と、百科事典の本文を表示する本文タブ６６と、百科事典の本文にも示されるが映像や画像や音声を別途集めたＭＭタブ表示６８やスクラップタブ表示７０やマイページタブ表示７２やひろばタブ表示７４から構成される。
【００５９】
（共通項表示）
図４における共通項表示６０について図５と図２６を用いて説明する。ここで、共通項とはホーム表示を含む各ページに共通な共通項表示を意味する。
【００６０】
先ず、利用者のアカウントＩＤとパスワードがそれぞれの入力欄に入力されて、ｗｅｂアプリサーバ１０に送信されて利用者のアカウントＩＤとパスワードがデータベース6に登録されているもの一致した場合は、動的データ生成プログラムは利用者のアカウントＩＤに対応するユーザハンドル名８０、アカウントＩＤに対応するポイント数８２、アカウントＩＤに対応する検索項目数８４、および現時点の日時情報をデータベース６より読み込む(Ｂ2)。
【００６１】
続いて動的データ生成プログラムは、あらかじめ作成されている静的データであるホーム表示のＸＨＴＭＬに対してタイトルである「ポプラディア」を表示させる（Ｂ４）。
【００６２】
さらに、動的データ生成プログラムは、工程Ｂ２で読み込んだ日時情報からホーム表示のＸＨＴＭＬに対して日付表示として年月日および曜日を表示させる（Ｂ６）。
【００６３】
また、動的データ生成プログラムは、工程Ｂ２で読み込んだ利用者のアカウントＩＤに対応するユーザハンドル名８０からホーム表示のＸＨＴＭＬに対してこのハンドル名を表示させる（Ｂ８）。
【００６４】
次に、動的データ生成プログラムは、工程Ｂ２で読み込んだ利用者のアカウントＩＤに対応するポイント数８２からホーム表示のＸＨＴＭＬに対してこのポイント数８２を表示させる（Ｂ１０）。ポイント数８２は、百科事典システムのコンテンツの一つとして掲載されるクイズ等に利用者が回答を入力しその結果が良い場合にシステムから利用者アカウントへ渡される仮想のポイントである。
【００６５】
加えて、動的データ生成プログラムは、工程Ｂ２で読み込んだ利用者のアカウントＩＤに対応する検索項目数８４からホーム表示のＸＨＴＭＬに対してこの検索項目数８４を表示させる（Ｂ１２）。検索項目数８４は、利用者アカウントがこれまでに百科事典の本文において本システムを利用して検索した項目の数である。
【００６６】
ここでは、動的データ生成プログラムは、共通のスイッチをホーム表示のＸＨＴＭＬに表示する。共通のスイッチは、具体的には「戻るボタン」８６と、「次へボタン」８８と、「ログアウトボタン」９０と、「ホームへボタン」９２と、「ヘルプボタン」９４と、「ふりがなボタン」９６が設けられる。「戻るボタン」は、特定のブラウザで現在表示されているＸＨＴＭＬをそのＸＨＴＭＬが表示される前のＸＨＴＭＬに戻すボタンである。現在表示されているＸＨＴＭＬよりも前に別のＸＨＴＭＬが表示されていない場合は、戻らない。「次へボタン」は、「戻るボタン」で戻った場合に、再び次のＸＨＴＭＬに進めるためのボタンである。「ログアウトボタン」は、現在利用者端末よりログインしているアカウントを本システムからログアウトするためのボタンである。「ホームへボタン」は、現在閲覧中のＸＨＴＭＬのページからログイン後画面（図２６）に戻すように設定されたボタンである。「ヘルプボタン」は、各ページの説明が記載されるページを表示するボタンである。「ふりがなボタン」は、現在表示中のＸＨＴＭＬに表示される漢字に振り仮名を振った状態で表示させるボタンである。
【００６７】
以上がホーム表示を含む各ページに共通に表示される共通項表示である。
【００６８】
（ホーム表示詳細）
続いて図４に示すホーム表示の詳細について図６と図２６を参照して説明する。図６は本発明に係るコンテンツマネジメントシステムのホーム表示の詳細フロウチャートである。また、図２６は、本発明に係るコンテンツマネジメントシステムのホーム表示ページ画面である。
【００６９】
まず、動的データ生成プログラムはデータベース６より利用者アカウントにより利用者名情報を入手し、本日の日付情報を元に、データベース６から、「今日のキーワード」１００の内容テキスト情報と、「今週のランキング」１０２の内容テキスト情報と、「今週のお知らせ」１０４の内容テキスト情報と、「今週のテレビ」１０６の内容テキスト情報と、「今週のクイズ」１０８の内容テキスト情報と、「アンケート」１１０の内容テキスト情報と、「リンク表示」１１２の内容情報を読み出す（Ｃ２）。
【００７０】
次に動的データ生成プログラムは読み出した「今日のキーワード」１００をＸＨＴＭＬとして出力する（Ｃ４）。特に「今日のキーワード」１００は毎日変更であり、日々データの変更が必要となる。内容は、管理者の注目する百科事典本文中の見出し語とその説明となる。
【００７１】
また、動的データ生成プログラムは読み出した「今週のランキング」１０２をＸＨＴＭＬとして出力する（Ｃ６）。「今週のランキング」１０２は、今週一週間の見出し語の検索回数のランキングである。週に1回変更となる。
【００７２】
続いて、動的データ生成プログラムは読み出した「今週のお知らせ」１０４をＸＨＴＭＬとして出力する（Ｃ８）。「今週のお知らせ」１０４は、管理者からの情報であり、新着見出し語情報等が週替わりで更新される情報である。
【００７３】
さらに、動的データ生成プログラムは読み出した「今週のテレビ」１０６をＸＨＴＭＬとして出力する（Ｃ１０）。「今週のテレビ」１０６は百科事典本文中にある動画情報であり、新着動画や人気動画が情報として掲載される。
【００７４】
その上、動的データ生成プログラムは読み出した「今週のクイズ」１０８をＸＨＴＭＬとして出力する（Ｃ１２）。「今週のクイズ」１０８は、予め登録されている百科事典の本文に関連するクイズの中から選択されて週替わりで掲示される。
【００７５】
今度は、動的データ生成プログラムは読み出した「アンケート表示」１０８をＸＨＴＭＬとして出力する（Ｃ１４）。「アンケート表示」１０８は、管理者が利用者に対して行なうアンケートであるが複数の回答を予め用意してグラフ化表示を可能に設定される。
【００７６】
リンク表示は固定リンク先であり、簡易説明ページである「早分かりポプラディアネット」、さらに新規利用者の申し込み登録ページへリンクする「新規お申し込み」、ポプラディアのサービス全体の紹介ページである「サービス案内」、ポプラディア関連情報を示すページである「ポプラディアワールド」、利用者情報を掲載する「ユーザ設定」、利用者からの問い合わせページである「お問い合わせ」、本百科事典システム全体のページ構成である「サイトマップ」、利用者の保護者に対するメッセージを掲載した「保護者の方へ」、利用時の遵守事項を掲載した「ご利用の条件」、個人情報保護法に基づく個人情報管理指針である「プライバシー・ポリシー」、ポプラ社の会社情報である「ポプラ社につきまして」のリンクが掲載される（Ｃ１６）。
【００７７】
さらに、画面上部にタブが表示される。右端よりホーム表示６２、本文タブ６６、ＭＭタブ表示６８、スクラップタブ表示７０、マイページタブ表示７２、ひろばタブ表示７４が横一列に表示され、さらに調査タブ６４として3種類配置され、見出し語検索タブ１１４、五十音検索タブ１１６、テーマ別検索タブ１１８が設けられる（Ｃ１８）。
【００７８】
（百科事典検索）
続いて本発明に係るコンテンツマネジメントシステムにおける百科事典システムにおける見出し語の検索のフロウについて図７と図２７，２８，２９を用いて説明する。これは図４における調査タブ６４に対応するものである。
【００７９】
図７は本発明に係るコンテンツマネジメントシステムにおける百科事典の検索方法のフロウチャートである。図２７は、本発明に係るコンテンツマネジメントシステムにおける百科事典システムの見出し語検索のサンプル画面図であり、図２８は、本発明に係るコンテンツマネジメントシステムにおける百科事典システムの五十音検索のサンプル画面図であり、図２９は、本発明に係るコンテンツマネジメントシステムにおける百科事典システムのテーマ別検索のサンプル画面図である。
【００８０】
（見出し語検索）
見出し語検索について図7と図２７を用いて示す。見出し語検索は図２６のホーム表示において見出し語検索タブ１１４を選択した場合である。図７では中央列が見出し語検索フローを示す。図２７には見出し語検索した結果の表示画面１２３を示す。
【００８１】
先ず、利用者端末３６において図２７の左ウエブに表示される検索ボックス１２０にキーワードが入力される工程である（Ｄ１２）。
【００８２】
続いて、検索ボタン１２２が選択される（Ｄ１４）。すると、検索ボックス１２０に入力された単語が確定して、利用者端末３６よりｗｅｂアプリサーバ１０を介してＣＭＳ４経由でデータベース６が送信される。
【００８３】
さらに、動的データ生成プログラムは先に入力された単語に近い語句を検索結果表示画面に表示する（Ｄ１６）。表示方法としては、単語と一致した見出し語１２４と、単語が含まれる見出し語１２６と、本文に単語を含む見出し語１３０が一覧として表示される。
【００８４】
そこで、表示画面１２３上に検索した見出し語があった場合は、その見出し語を選択する（Ｄ１８）。その後に百科事典本文表示が別タブである百科事典本文タブ６６が表示される。
【００８５】
（五十音検索）
五十音検索を図７と図２８を用いて示す。五十音検索は図２６のホーム表示において五十音検索タブ１１６を選択した場合である。図７では左列が五十音検索フローを示す。
【００８６】
五十音検索タブ１１６が選択されると図２８に示される表示画面１３２が示される（Ｄ２）。表示画面１３２は、文字選択部１３４と見出し語表示部１３６から構成される。文字選択部１３４は、文字表示部１３８とタブ１４０，１４２，１４４から構成される。このタブのうちひらがなタブ１４０を選択すると文字表示部１３８は図に示されるようにひらがな５０音が表示される。また、カタカナタブ１４２を選択すれば文字表示部１３８はカタカナ５０音が表示される。さらに、アルファベットタブ１４４を選択すれば文字表示部１３８はアルファベット２６文字が表示される。今回は、ひらがなタブ１４０選択されているのでひらがな５０音が表示されている（Ｄ４）。
【００８７】
ここで、検索したい語の頭文字を、例えば「あ」が選択される（Ｄ６）。
【００８８】
すると、動的データ生成プログラムが選択された「あ」の信号を利用者端末３６からネットワーク３４を介してｗｅｂアプリサーバ１０から、ＣＭＳ４を経由してデータベース６へアクセスして「あ」一覧のＸＨＴＭＬを生成する。
【００８９】
文字表示部１３８の「あ」を選択されば、「あ」で始まる見出し語の一覧が見出し語表示部１３６に表示される。すなわち、このＸＨＴＭＬがｗｅｂアプリサーバ１０を経由して利用者端末３６に表示させる（Ｄ８）。
【００９０】
そこで、表示画面１３２上に検索した見出し語があった場合は、その見出し語を選択する（Ｄ１０）。その後に百科事典本文表示が別タブである百科事典本文タブ６６が表示される。
【００９１】
（テーマ別検索）
テーマ別検索を図７と図２９を用いて示す。テーマ別検索は図２６のホーム表示においてテーマ別検索タブ１１８を選択した場合である。図７では右列がテーマ別検索フローを示す。
【００９２】
テーマ別検索タブ１１８が選択されると図２９に示されるテーマ一覧表の表示画面１４６が示される（Ｄ２０）。
【００９３】
先ず第1にテーマ１４８を選択する。ここではテーマとして生物を選択する。すると、大分類「生物」に対して、「生物」を選択すると、動的データ生成プログラムが選択された「生物」を選択した信号を利用者端末３６からネット３４を介してｗｅｂアプリサーバ１０から、ＣＭＳ４を経由してデータベース６へアクセスしてテーマ「生物」の中分類１５０の一覧のＸＨＴＭＬを生成する。その結果中分類一覧が表示される（Ｄ２２）。
【００９４】
表示されたＸＨＴＭＬの中分類１５０一覧から「身近な植物」を選択すると「小分類」の一覧１５２が示される（Ｄ２４）。
続いて、小分類の「穀物になる植物」を選択してさらに百科事典の見出し語一覧を表示させる（Ｄ２６）。
【００９５】
その中から、見出し語１５４である「イネ」を選択する（Ｄ２８）。その後百科事典の本文が表示される。
【００９６】
（百科事典本文表示）
本発明に係るコンテンツマネジメントシステムにおける百科事典の本文ページについて図８、図３０を参照して説明する。本ページ図４における本文タブを選択した場合に、図８は、本発明に係るコンテンツマネジメントシステムにおける百科事典の本文に関するフロウチャートである。図３０は、同じく百科事典の本文のサンプル画面である。
【００９７】
図３０では、項目「イネ」についての本文表示が示されている。「イネ」を検索するためには、キーワード検索では「イネ」と入力することで検索でき、五十音検索では、五十音として「い」を選択することで閲覧が可能となる。さらに、テーマ別検索では、「生物」−「身近な植物」−「穀物になる植物」−「イネ」が選択できる。
【００９８】
サンプル画面では左側列にリンク情報が掲載され、中央列に本文が掲載され、右列にマルチメディア情報が掲載される。中央最上部に見出し語１５４であるイネが掲載される（Ｅ２）。
【００９９】
本文中の小見出しへのリンク情報１５８が見出し語１５４の下段に配置される（Ｅ４）。
【０１００】
次に左側列のリンク情報としては、関連項目表示１６０と、検索履歴１６２と、前後項目１６４と、関連テーマ表示１６６と、関連サイト表示１６８と、利用者作成記事表示１７０が掲載されている。
【０１０１】
ここで、関連項目表示１６０は現在表記中の項目（例、イネ）に関連する項目であって、予め管理者によって選別された項目が掲載される（Ｅ６）。「イネ」の場合であれば、「弥生時代」、「農具」、「もち」、「主食」、「穀物」、「穀倉地帯」である。
【０１０２】
検索履歴１６２は、利用者が過去に検索した履歴項目が掲載される（Ｅ８）。検索順序は利用者の任意であるため、関連する項目が履歴となる場合に、特に役に立つ。
【０１０３】
前後項目１６４は、五十音順で前後に並ぶ見出し語の一覧である。関連する語句が前後項目１６４となることも多いため掲載する（Ｅ１０）。「イネ」の場合は、「イヌワシ」、「イヌワラビ」、「いねかり」、「イネゲノム計画」が掲載される。
【０１０４】
関連テーマ表示１６６は、一つの見出し語に対してひも付けられる複数のテーマを掲載する項目である（Ｅ１２）。例えば「イネ」に対しては５つのテーマがひも付けられており、（１）産業＞農業＞稲作＞イネ、（２）産業＞農業＞工芸作物＞イネ、（３）くらし＞食べる・飲む＞穀物とその食品＞イネ、（４）生物＞植物＞被子植物（単子葉植物）＞イネ、（５）生物＞身近な植物＞穀類になる食物＞イネとなっており、全てのテーマが記載される。
【０１０５】
関連サイト表示１６８は、現在標記中の項目に関連するサイトを記載する（Ｅ１４）。「イネ」に対しては、「農林水産省」、「子供のための農業教室」、「あぐりちゃんねる」、「全国農業共同組合中央会」、「米ネット（米穀機構）」が記載されている。
【０１０６】
百科事典本文表示の左段下に表示される利用者作成記事表示１７０は、利用者が本発明に係るコンテンツマネジメントシステムのシステム内に作成したホームページのうち、本見出し語に関連するホームページについて記載される。
【０１０７】
次に右側列のマルチメディア情報を中心としたリンク情報を示す。右側列には、印刷ボタン１７２とスクラップボタン１７４とクイズボタン１７６と投票ボタン１７８と映像・アニメーションリンク１８０と音声データリンク１８２と写真・イラストリンク１８４と地図、図表、グラフ表示１８６と学習資料表示１８８とＮＤＣ記号表示１９０と漢字表記名１９２と本項目表示回数１９４と本項目表示回数順位１９６と本項目評価点１９８とが示される。
【０１０８】
右上部には、印刷ボタン１７２が配置される（Ｅ１８）。本ボタンを選択することで利用者端末３６に接続される印刷機から印刷できるように印刷マクロが実行される。
【０１０９】
隣接してスクラップボタン１７４が配置される（Ｅ２０）。スクラップボタン１７４が選択されると、後に説明するスクラップブックに現在開いている項目の文章が保存される。具体的にはスクラップボタン１７４選択信号が利用者端末３６よりｗｅｂアプリサーバ１０を介してＣＭＳ４に送信されて、利用者データとしてスクラップボタン選択信号によって本ページをスクラップした記録がデータベース６に格納される。
【０１１０】
クイズボタン１７６は、選択されると本項目に関連するクイズを出題するページへ遷移するボタンである（Ｅ２２）。
【０１１１】
投票ボタン１７８は、本項目に関連する投票ページへ遷移するボタンである（Ｅ２４）。
【０１１２】
映像・アニメーションリンク１８０と音声データリンク１８２と写真・イラストリンク１８４と地図、図表、グラフ表示１８６と学習資料表示１８８は、いずれもサムネイルと共に表示されて、選択すると表示又は再生を開始する（Ｅ２６、Ｅ２８、Ｅ３０、Ｅ３２、Ｅ３４）。
【０１１３】
さらに、ＮＤＣコード１９０も表示される（Ｅ３８）。すなわち、図書コードを示すことで、図書館等での関連する参考書の発見を容易にするためである。
【０１１４】
また、見出し語は平仮名またはカタカナであるため漢字表記を別途表示するために漢字表記名表示１９２が設けられる（Ｅ３６）。
【０１１５】
さらに本項目の閲覧者は本項目の説明に対して採点が可能であり、評価点項目１９８として点数の入力が可能である（Ｅ４０）。
【０１１６】
その他に本項目の利用者等による表示回数１９４と他の項目ページと比較しての表示回数の順位１９６を示す（Ｅ４４、Ｅ４６）。
【０１１７】
従って、本発明に係るコンテンツマネジメントシステムにおける百科事典によって、百科事典における本文の表示が可能なだけではなく、本文の内容の評価や参照数等が表示されるので百科事典としての質の維持に対する要求も高まる。
【０１１８】
（マルチメディア）
本発明に係るコンテンツマネジメントシステムにおける百科事典システムのマルチメディア検索ページは、図４におけるマルチメディアタブ６８を選択することによって表示されるページである。図９と図３１に示されるページでは、百科事典本文に掲載される映像・アニメーションリンク１８０と音声データリンク１８２と写真・イラストリンク１８４と地図、図表、グラフ表示１８６と学習資料表示１８８について、タイトルと説明文であるキャプション中のキーワードまたはテーマ別に検索するものである。
【０１１９】
マルチメディアキーワード検索を選択すると（Ｆ２）、利用者端末３６、ｗｅｂアプリサーバ１０、ＣＭＳ４よりマルチメディアキーワード検索のＸＨＴＭＬデータが利用者端末３６にダウンロードされその画面（図３１）に表示される（Ｆ４）。
【０１２０】
利用者端末３６よりキーワード検索ボックスに文字が入力されて（Ｆ６）、検索ボタンが選択されると（Ｆ８）、再び利用者端末３６、ｗｅｂアプリサーバ１０、ＣＭＳ４からデータベース６にアクセスされて該当するデータが検索される。検索結果は、利用者端末３６の画面に表示される。その結果は、映像・アニメーションリンク１８０と音声データリンク１８２と写真・イラストリンク１８４と地図、図表、グラフ表示１８６と学習資料表示１８８として表示される。検索結果と件数、タイトル、キャプションが表示される。
【０１２１】
一方、マルチメディアテーマ検索Ｆ１２が選択されると、テーマ一覧が表示されて、テーマを選択するとマルチメディアデータ一覧がリストとして表示される。
【０１２２】
（スクラップブック）
続いて、本発明に係るコンテンツマネジメントシステムにおける百科事典システムのスクラップブックページは、図４におけるマルチメディアタブ６８を選択することによって表示されるページである。
【０１２３】
スクラップブックは、利用者が百科事典に記載の本文を別にデータとして保存でき、さらには利用者自身のレポートを追加してデータを保存することのできるものである。
【０１２４】
このスクラップブックを説明するために図１０〜１３並びに図３２，３３を用いて説明する。
【０１２５】
図１０に示すようにスクラップタブを選択してスクラップブックを活用する工程としてｗｅｂアプリサーバ１０がスクラップブックを生成させるスクラップブック登録工程（Ｇ２）と、登録したスクラップブックのリストを表示するリスト表示工程（Ｇ４）と登録されたスクラップを閲覧する工程（Ｇ６）とスクラップブックを編集する工程（Ｇ８）とがある。
【０１２６】
スクラップブックを登録する工程としては新規スクラップブックを生成する工程（Ｇ１０）と既存のスクラップブックに登録する工程（Ｇ１２）とがある。
【０１２７】
具体的にスクラップブック２００の画面を図３２に示すと、画面上に既存のスクラップブックを列挙するブック表示部２０２と、スクラップブック内部を表示する内部ページ表示部２０４に分けて表示される。
【０１２８】
新規スクラップブックを生成する工程（Ｇ１０）では、ブック表示部２０２に示されるブック作成ボタン２０８が選択されると新規スクラップブックが生成される。現在のスクラップブックの現状のスクラップブックは２０６である。
【０１２９】
一方、百科事典の本文におけるスクラップブック登録ボタンが選択されると、内部ページ表示部２０４に登録された本文データが記録される。この内部ページ表示部２０４にはスクラップリスト２１２が掲載される。スクラップリスト２１２は、選択時にレ点印を入力する選択ボックス２１１と最終閲覧日２１４と登録日２１６とレポートタイトル名２１８とレポートの有無２２０と項目名２２２とが登録される。これらのデータは下部に移動ボタン２２４と、コピーボタン２２６と削除ボタン２２８とが設けられる。
【０１３０】
ここで、図１２に示すように内部ページ表示部２０４において（Ｇ１４）、選択ボックス２１１にレ点で選択して、削除ボタン２２８を選択すると削除される。
【０１３１】
スクラップブックの閲覧は、図３３の画面においてレポートのタイトル名２１８を選択してクリックすることにより（Ｇ２０）閲覧ページ２３０が表示される（Ｇ２２）。閲覧ページ２３０の上段に項目の文章２３２が示され、下段に利用者が入力するマイレポート欄２３４が表示される。なお、閲覧時に右下部の編集ボタン２３６を選択すると編集画面２３８となり、保存ボタン２４０を選択すると保存が実行されて閲覧ページ２３０に戻る。プリントボタン２４２を選択することで画面の印刷が可能である。なお、印刷方法についてプレビュウの有無が選択可能である（Ｇ２８，Ｇ３０）。
【０１３２】
なお、スクラップブックでは、スクラップとして選択された項目名と利用者データとマイレポートとがデータベース６に登録される。
【０１３３】
スクラップブックを用いることで、百科事典をより利用者にとって使用しやすく情報を自由に追加することが可能となる。
【０１３４】
（マイページ）
本発明に係るコンテンツマネジメントシステムにおける百科事典システムのマイページは、図４におけるマイページタブ７２を選択することによって表示されるページである。マイページについて図１４〜１６および図３４〜３６を参照して説明する。
【０１３５】
マイページには、利用者個人に関する情報を処理するページであり、ｗｅｂアプリサーバ１０が利用者の獲得ポイントを表示するポイント表示（Ｈ２）と、利用者と管理者間のメールツールである連絡制御（Ｈ４）と、利用者のホームページ制御（Ｈ６）が存在する。マイページを選択するとポイント表示ボタンと連絡帳ボタンとマイホームページボタンが表示される。
【０１３６】
（ポイント表示）
ポイント表示ボタンが選択されると（Ｈ８）、利用者端末３６からネットワーク３４経由でｗｅｂアプリサーバ１０に接続し、さらにＣＭＳ４を介してデータベース６に接続し、現在の利用者アカウントに記録されているポイントデータを読み出す。ポイントデータは、百科事典の本文にアクセスすると加算される本文ポイントと、マルチメディアファイルを閲覧すると加算されるマルチメディアポイントと、クイズの点数が加算されるクイズポイントと、みんなのポプラディアに投稿して採用されると加算されるポプラディアポイントからなる（Ｈ１０）。
【０１３７】
続いてポイント・データ表示をポイント表２４１またはポイントグラフ２５８と２６０によって行なう（Ｈ１２）。
【０１３８】
図３４にポイント表２４１は、項目２４４別の月毎の一覧表示であり、日付２４３、本文ポイント２４６、マルチメディアポイント２４８と、クイズポイント２５０と、ポプラディアポイント２５２と、合計ポイント２５４と今月のポイント２５６が表示される。月ごとのアクセス数が表示される。また、他の月のポイント表のリンク２５８も下段に表示される。いずれもデータベース６に格納されているものであり、利用者が本文ページ等でクイズ等を実施することで増加する。
【０１３９】
一方、図３５にポイントグラフ２５８は月別ポイントを棒グラフで1年分表示したグラフである。月別のアクセス傾向が表示される。
【０１４０】
また、ポイントグラフ２６０はテーマ別のポイントグラフであり、テーマ毎の数値が棒グラフで表示されるため各利用者についてテーマの選択の傾向やテーマ別の選択状況が明らかになる。
【０１４１】
（連絡帳）
連絡帳ボタンが選択されると連絡帳ページが表示されて、連絡プログラムが起動する。連絡プログラム制御について図１６のフロウチャートに沿って、連絡帳画面について図３６を用いて説明する。連絡帳は利用者と管理者との間に使用できるメールシステムである。
【０１４２】
連絡プログラム制御では、ｗｅｂアプリサーバ１０がまず、ＣＭＳ４経由でデータベース６にアクセスして現在の利用者の受信リストをダウンロードする（Ｈ１４）。その後、受信リストは利用者端末３６の画面上に表示される(Ｈ１６)。受信リストは状態アイコン２７２、題名２７４、送信者２７６、受信日２７８が表示される。
【０１４３】
特定の連絡帳を閲覧したい場合は、題名２７４を選択する（Ｈ１８）。すると利用者端末３６よりｗｅｂアプリサーバ１０が、ＣＭＳ４経由でデータベース６にアクセスして特定の連絡の書面情報２８０をダウンロードして利用者端末３６上に表示する（Ｈ２０）。
【０１４４】
書面情報２８０は、タイトル２８２と差出人名２８４と受信した日２８６とメッセージボックス２８８とが表示される。さらに、削除ボタン２９０と返信作成ボタン２９２が設けられる。
【０１４５】
返信する場合は返信作成ボタンが選択される（Ｈ２２）。さらに、返信ボタンを選択（Ｈ２４）すると返信メールボックスが送信される。その後、確認画面表示が示される（Ｈ２６）。
【０１４６】
一方、新規メッセージを作成する場合は、新規れんらく作成ボタンが設けられる（Ｈ２８）。そこで、新規れんらく送信ボタンが選択される（Ｈ３０）。すると新規メールボックスが表示される（Ｈ３２）。
【０１４７】
（ホームページ作成）
一方、マイホームページボタンが選択されるとマイホームページとなる。マイホームページには、ホームページ編集ボタンとプレビュー閲覧ボタンが設けられる。マイホームページ編集ページのフロウ（図１４）を以下に示す。
【０１４８】
ホームページ編集ボタンが選択されることで、マイホームページ編集ページが表示される（Ｈ３４）。ここでは予め登録されているテーマ、レイアウト、壁紙が選択できるように表示され、タイトル、写真データおよびそのコメント、説明文章、要約が入力可能にボックスが用意されて入力待ち受けとなる。
【０１４９】
データが全て入力された後にプレビューボタンが選択されると、実際のホームページ表示と同一状態であるプレビューページが表示される（Ｈ３８）。
【０１５０】
プレビューに問題がある場合は戻るボタンが選択されることでマイホームページ編集ページに戻される。プレビューに問題がない場合は、公開依頼ボタンを選択する（Ｈ４０）。公開依頼ボタンが選択されると管理者宛てに公開依頼メールが送信される。公開依頼メールが送信されると送信確認画面が表示される（Ｈ４２）。入力されたデータは、利用者端末３６からｗｅｂアプリサーバ１０とＣＭＳ４を経由してデータベース６へ格納される。その後、管理者３８により承認を受けるとｗｅｂアプリサーバ１０を介して利用者端末３６に対して閲覧可能に設定される。
【０１５１】
次に、マイホームページでプレビュー閲覧ボタンが選択された場合について示す（Ｈ４４）。ここで、現在公開中のマイホームページと公開依頼中のマイホームページリストとその脇にそれぞれチェックボックスが設けられる。チェックボックスが選択されてかつ削除ボタンが選択される（Ｈ４６）と、チェックボックスが選択されたマイホームページの削除依頼メールが管理者宛てに送信される。
【０１５２】
続いて送信確認画面が表示される（Ｈ４８）。削除依頼メールを管理者端末３８で受信して承認されると利用者端末３６からｗｅｂアプリサーバ１０とＣＭＳ４を経由してデータベース６から承認されたマイホームぺージが削除される。
【０１５３】
（ひろばタブ）
図４に表示されるブッロクにおいて、ひろばタブ７４について図１７と図３７を用いて説明する。ひろばタブ７４は、百科事典データに対して利用者が参加して楽しみながら学習するページ総体のトップページである。主な項目が上部のリンク集に掲載されて、さらに詳細に一覧リンク集がページ全体に掲示される。
【０１５４】
具体的には、テレビリンク３００と、クイズリンク３０２と、電子掲示板リンク３０４と、みんなのＨＰリンク３０６と、コレクション表示３０８と、アンケートリンク３１０と、調べ学習相談室リンク３１２と教科書対応表リンク３１４と先生・保護者の部屋リンク３１６とが表示される。さらに、お知らせ表示３１８とみんなの声表示３２０が示される。
【０１５５】
また、一部のリンクは更に詳細なリンクが隣接して表示される。例えばテレビリンク３００にはＮｅｗ番組リンク３２２と、人気番組ランキングリンク３２４とジャンルで選ぶ番組リスト３２６が表示される。また、クイズリンク３０２には人気クイズランキング３２８とテーマ別クイズ３３０とが表示される。また、みんなのＨＰリンク３０６の近傍には、人気ホームページ３３２と、学年別ホームページ３３４と、テーマ別ホームページ３３６と、ＨＰのキーワード検索３３８とが表示される。
【０１５６】
さらに、調べ学習相談室リンク３１２には、調べ学習のポイント３４４とよくある質問３４６とテーマを探そう３４８が表示されている。隣接してみんなのスクラップブックリンク３０８は、人気スクラップブックランキング３４０とテーマ別スクラップブック３４２が表示されている。
【０１５７】
以上、ひろばタブを選択することで複数の表示ページへのリンクが示される。以下、テレビリンク３００と、クイズリンク３０２と、電子掲示板リンク３０４と、みんなのＨＰリンク３０６と、みんなのスクラップブックリンク３０８と、アンケートリンク３１０と、調べ学習相談室リンク３１２と教科書対応表リンク３１４と先生・保護者の部屋リンク３１６の順に追って説明する。
【０１５８】
（テレビリンク）
本発明に係るコンテンツマネジメントシステムにおける百科事典に関するテレビリンクについて図１８、図３８〜４０を用いて説明する。ここで、テレビリンクが選択されると、Ｎｅｗ番組リンク３２２と、人気番組ランキングリンク３２４とジャンルで選ぶ番組リスト３２６が画面左側部に表示される。
【０１５９】
まず、Ｎｅｗ番組リンク３２２が選択される場合について示す（Ｊ２）。利用者端末３６よりｗｅｂアプリサーバ１０が、ＣＭＳ４経由でデータベース６にアクセスしてデータベース６より、動画データの新着順データを読み込む（Ｊ４）。このテレビリンクにおけるテレビは、百科事典に各項目に関連するオリジナル動画を中心とした動画データであり、フラッシュ映像、ｍｐｅｇ動画、ＷＭＶ動画、リアル動画を中心とした動画である。管理者側で作成または入手した動画データをデータベース６に予め格納し、新着順に画像サムネールと表題とアップデート日時情報を一覧として図３８に示す一覧表として表示する（Ｊ６）。画像サムネールが選択される（Ｊ８）。これらの動画が再生される。
【０１６０】
次に人気番組ランキングリンク３２４リンクが選択された場合について示す（Ｊ１０）。この人気番組ランキングリンク３２４リンクが選択されると、閲覧回数順の動画データが利用者端末３６よりｗｅｂアプリサーバ１０が、ＣＭＳ４経由でデータベース６にアクセスしてデータベース６より、読み込まれる（Ｊ１２）。図３９に示すように続いて閲覧回数順に画面３４６に順位３４８と閲覧回数３５０と画像サムネール３５２とコンテンツ名３５４が１０件表示される。残りの一覧はリンク表３５６またはプルダウン式のリンク３５８を選択することで表示できるように設定される（Ｊ１４）。これらから、選択された画像サムネール３５２について再生される（Ｊ１６）。
【０１６１】
また、ジャンルで選ぶ番組リスト３２６が選択された場合を図１８と図４０を用いて示す（Ｊ１８）。ジャンルで選ぶ番組リスト３２６が選択されて、さらに個別のテーマ３７０が選択されると、選択されたテーマの動画データが利用者端末３６よりｗｅｂアプリサーバ１０が、ＣＭＳ４経由でデータベース６にアクセスしてデータベース６より、読み込まれる（Ｊ２０）。続いて図４０に示すように一覧表３６０に、テーマ名３６２と画像サムネール３６４とコンテンツ名３６６が１０件示される（Ｊ２２）。さらに追加リンクが３６８に示される。ここから番組で選択される（Ｊ２４）と番組動画が再生される。
【０１６２】
このように設定されることで本発明に係るコンテンツマネジメントシステムにおける百科事典に関し、動画情報のみを選択して閲覧することができる。
【０１６３】
（クイズリンク）
本発明に係るコンテンツマネジメントシステムにおける百科事典に関するクイズリンクについて図１９、図４１、４２を用いて説明する。
【０１６４】
ここで、クイズリンクが選択されると、人気クイズランキング３２８とテーマ別クイズ３３０が画面左側部に表示される。
【０１６５】
まず、人気クイズランキング３２８が選択される場合について示す（Ｋ２）。
人気クイズランキング３２８が選択されると、利用者端末３６よりｗｅｂアプリサーバ１０が、ＣＭＳ４経由でデータベース６にアクセスしてデータベース６より、クイズリスト先着順に読み込む（Ｋ４）。
【０１６６】
利用者端末３６は、画面３７０に表題３７２が表示され（Ｋ６）、さらに表題である「人気クイズランキング」３７４が表示される。また、クイズの挑戦者数の順位３７６と、クイズ挑戦者数３７８と、クイズ項目名３８０と、クイズ一部問題３８２が表示される。
【０１６７】
ここで、クイズ項目３８０が選択されると（Ｋ８）、クイズ表示がなされる（Ｋ１０）。
【０１６８】
クイズ表示について図４２を用いて説明する。クイズは項目毎に設けられ、項目内にリスト４０６が表示される。リスト中の項目４０６が選択されると、利用者端末３６よりｗｅｂアプリサーバ１０が、ＣＭＳ４経由でデータベース６にアクセスしてデータベース６より、クイズデータがＸＨＭＬデータとしてダウンロードされてクイズ問題表示４１０として表示される。
【０１６９】
クイズ４１０は百科事典の項目と同じ文章に構成され、文章中の複数箇所が伏せられて代わりに選択肢から正解を選択できるようにプルダウンフォーム４１２で表示される。全ての回答が入力されて後に答え合わせできるように答え合わせボタンが設けられる。
【０１７０】
答え合わせボタンが選択されると、利用者端末３６よりｗｅｂアプリサーバ１０が、ＣＭＳ４経由でデータベース６にアクセスしてデータベース６に格納される正解と比較されて採点される。その結果が答え合わせとして画面４１６に表示される。問題と同様の画面から構成されるが問題相当部には回答が記載され、最下段に採点結果が○×で表示され採点結果の合計点数が表示される。ここで表示されるもう一度ちょうせんボタン４２４が選択されると再度出題画面が表示され、リストに戻るボタン４２６が選択されるとリスト４０６が表示される。
【０１７１】
続いて、テーマ別クイズ３３０ボタンが選択されるとテーマ別クイズの詳細ボタンがプルダウンする。詳細ボタンからテーマが選択される（Ｋ１２）と、利用者端末３６よりｗｅｂアプリサーバ１０が、ＣＭＳ４経由でデータベース６にアクセスしてデータベース６に格納されるテーマ別クイズリストがダウンロードされる（Ｋ１４）。ダウンロードされたテーマ別クイズが図４１に示される通り画面３９０として表示される（Ｋ１６）。テーマが上段３９２に記載され、クイズ集３９４とクイズ項目３９６と正解率３９８が表示される。このクイズ集３９４が選択されて（Ｋ１８）、クイズリスト４０６が表示される。
【０１７２】
本構成により、人気のあるクイズやテーマ別のクイズを選択することが可能となる。
【０１７３】
（電子掲示板リンク）
本発明に係るコンテンツマネジメントシステムにおける百科事典に関する電子掲示板リンク３０４について図２０、図４３を用いて説明する。
【０１７４】
ここで、ひろばタブ１２４の一覧リンク集において電子掲示板リンク３０４が選択される（Ｌ２）と、利用者端末３６よりｗｅｂアプリサーバ１０が、ＣＭＳ４経由でデータベース６にアクセスしてデータベース６より、電子掲示板データがＸＨＭＬデータとしてダウンロードされてデータが読み込まれ（Ｌ４）、図43に示されるような電子掲示板画面４２０が表示される（Ｌ６）。
【０１７５】
電子掲示板画面４２０には、電子掲示板の名前４２４と、電子掲示板のテーマ４２６と、そのテーマに沿ったトピック４３２が複数個掲載される。トピック４３２には、トピックＮｏ４３４とトピック名４３６とトピック提案者名４３８とトピック作成日４４０とトピック記事４４２から構成され、さらにコメント閲覧ボタン４４４とコメント作成ボタン４４６が設けられる。この状態でコメントの書き込み待ち受け状態となる（Ｌ８）。
【０１７６】
コメント作成ボタン４４６が選択され、コメント文章が入力され確定ボタン（図示せず）が選択されると、文章データがＸＭＬファイルとして利用者端末３６よりｗｅｂアプリサーバ１０が、ＣＭＳ４経由でデータベース６にアクセスしてデータベース６に格納される（Ｌ１０）。また、利用者端末３６には送信確認画面が表示される（Ｌ１２）。
【０１７７】
一方、トピック提案ボタン４５２が選択されるとトピック名入力部とトピック記事入力部が表示され、確定ボタンを選択すると管理者へトピック作成依頼メールが送信される（Ｌ１４）。その後、利用者端末３６には送信確認画面が表示される（Ｌ１６）。
【０１７８】
本構成により、百科事典に関連する電子掲示板を開設閲覧運用することが可能となる。
【０１７９】
（ホームページ表示リンク）
本発明に係るコンテンツマネジメントシステムにおける百科事典に関するホームページ表示リンク３０６について図２１、図４４を用いて説明する。
【０１８０】
ここで、ひろばタブ１２４の一覧リンク集においてホームページ表示リンク３０６が選択されると、左側列に閲覧ランキングボタン４６２、管理者推薦ＨＰボタン４６４、テーマ別ボタン４６６、キーワード検索ボタン４６８が表示される。
【０１８１】
閲覧ランキングボタン４６２が選択される（Ｍ２）と、利用者端末３６よりｗｅｂアプリサーバ１０が、ＣＭＳ４経由でデータベース６にアクセスしてデータベース６より、閲覧ランキングデータがＸＨＭＬデータとしてダウンロードされてデータが読み込まれ（Ｍ４）、図４３に示されるような閲覧ランキング画面４６０が表示される（Ｍ６）。閲覧ランキング画面４６０は、ランキング名称４７０と表示順位４７２とが最上部に表示される。各項目については、掲載ホームページの順位４７４と掲載ホームページの閲覧者数４７６と、掲載ホームページの表題と要約４７８と、作者名４８０が掲示される。さらに掲載ホームページ件数４８２とランキング更新日４８４が掲載される。さらに、下位の順位のページへのリンクも表示される。
【０１８２】
ここで、これらのランキングから各ホームページへのリンクがなされており、ホームページを選択する（Ｍ８）と、ホームページが表示される（Ｍ１０）。さらに、ホームページの作者知るためにはユーザプロファイルが表示される（Ｍ１２）。
【０１８３】
管理者推薦ＨＰボタン４６４が選択された（Ｍ１４）場合について以下に図21を参照して示す。管理者推薦ＨＰボタン４６４が選択されると、利用者端末３６よりｗｅｂアプリサーバ１０が、ＣＭＳ４経由でデータベース６にアクセスしてデータベース６より、管理者推薦データがＸＨＭＬデータとしてダウンロードされてデータが読み込まれる（Ｍ１６）。続いて管理者推薦データの一覧がソートして表示される（Ｍ１８）。その中からＨＰが選択される（Ｍ２０）と利用者端末３６よりｗｅｂアプリサーバ１０が、ＣＭＳ４経由でデータベース６にアクセスしてデータベース６より、選択されたＨＰがダウンロードされて表示され（Ｍ１０）、さらに、ホームページの作者知るためにはユーザプロファイルが表示される（Ｍ１２）。
【０１８４】
キーワード検索ボタン４６８が選択された（Ｍ２２）場合について以下に図２１を参照して示す。キーワード検索ボタン４６８が選択されると、キーワード入力ボックスが表示される。キーワード入力ボックスに検索単語が入力されると、利用者端末３６よりｗｅｂアプリサーバ１０が、ＣＭＳ４経由でデータベース６にアクセスしてデータベース６より、該当する利用者作成のＨＰデータの中からキーワードが含まれるＨＰデータを検索してＸＨＭＬデータとしてダウンロードされてデータが読み込まれる（Ｍ２４）。読み込まれたキーワードが含まれるＨＰデータの表題リスト一覧が利用者端末３６に表示される（Ｍ２６）。表示された表題リスト一覧の中からＨＰが選択される（Ｍ２８）と選択されたＨＰがダウンロードされて表示され（Ｍ１０）、さらに、ホームページの作者知るためにはユーザプロファイルが表示される（Ｍ１２）。
【０１８５】
テーマ別ボタン４６６が選択された場合について以下に図２１を参照して示す。テーマ別ボタン４６６が選択される（Ｍ３０）と、利用者端末３６よりｗｅｂアプリサーバ１０が、ＣＭＳ４経由でデータベース６にアクセスしてデータベース６より、テーマ一覧ダウンロードされる。このテーマ一覧のテーマを選択すると、このテーマが登録されている利用者作成のＨＰのリスト一覧がＸＨＭＬデータとしてダウンロードされてデータが読み込まれる（Ｍ３２）。続いてこのテーマが登録されている利用者作成のＨＰのリスト一覧がソートして表示される（Ｍ３４）。その中からＨＰが選択される（Ｍ３６）と利用者端末３６よりｗｅｂアプリサーバ１０が、ＣＭＳ４経由でデータベース６にアクセスしてデータベース６より、選択されたＨＰがダウンロードされて表示され（Ｍ１０）、さらに、ホームページの作者知るためにはユーザプロファイルが表示される（Ｍ１２）。
【０１８６】
以上の構成により利用者の作成したホームページについて、閲覧数が多いもの、管理者の推薦するもの、キーワード検索、テーマ検索が容易に実行できる。
【０１８７】
（コレクション表示）
本発明に係るコンテンツマネジメントシステムにおける百科事典に関するコレクション表示３０８について図２２、図４５，４６を用いて説明する。
【０１８８】
ここで、ひろばタブ１２４の一覧リンク集においてコレクション表示３０８が選択されると、図４５に示されるように左側バナーとして項目コレクションバナー４９２と「ＮＥＷ・更新」項目リスト４９４と、「今日のキーワード」項目集４９６が表示される。
【０１８９】
ここで、項目コレクションバナー４９２が選択される（Ｎ２）場合について説明する。項目コレクションバナー４９２が選択されると、利用者端末３６よりｗｅｂアプリサーバ１０が、ＣＭＳ４経由でデータベース６にアクセスしてデータベース６より、管理者によって予め選択されて登録された新規項目の一覧データが読み込まれる（Ｎ４）。読み込まれた新規項目の一覧データが利用者端末３６の画面に表示される（Ｎ６）。新規項目の一覧データは、画面４９０に示され、公開日を５００、コレクションのタイトル５０２、含まれる項目５０４、項目を選択した管理者名５０６が表示され公開日５００順に表示される。なお、コレクションのタイトル５０２の選択される（Ｎ８）と詳細な項目一覧５０８が表示される（Ｎ１０）。
【０１９０】
続いて、「ＮＥＷ・更新」項目リスト４９４バナーが選択された場合について、図２２と図４６を用いて説明する。「ＮＥＷ・更新」項目リスト４９４バナーが選択される（Ｎ１２）と、利用者端末３６よりｗｅｂアプリサーバ１０が、ＣＭＳ４経由でデータベース６にアクセスして、直近で追加または更新された項目データをＸＨＴＭＬとして読み込む（Ｎ１４）。読み込まれた直近で追加または更新された項目データは利用者端末３６の画面に表示される（Ｎ１６）。
【０１９１】
読み込まれた直近で追加または更新された項目データは、表題である「今月の『ＮＥＷ・更新』項目５１２と、ＮＥＷ・更新日５１４とＮＥＷ区分又は更新区分の表示５１６と、追加（ＮＥＷ）され、又は更新された項目５１８と、追加表示ページへのリンク表示５２２とが表示される。ここで、追加（ＮＥＷ）され、又は更新された項目５１８が選択される（Ｎ１８）ことで項目が画面表示される（Ｎ１０）。
【０１９２】
次に、「今日のキーワード」項目集４９６バナーが選択された場合について、図２２と図４６を用いて説明する。「今日のキーワード」項目集４９６バナーが選択される（Ｎ２０）と、利用者端末３６よりｗｅｂアプリサーバ１０が、ＣＭＳ４経由でデータベース６にアクセスして、管理者によって選択された項目である「今日のキーワード」項目をＸＨＴＭＬとして読み込む（Ｎ２２）。読み込まれた「今日のキーワード」項目データは利用者端末３６の画面５３０として表示される（Ｎ２４）。
【０１９３】
読み込まれた「今日のキーワード」項目データは、図４６に示されるように表題である「今日のキーワード」項目５３２と、キーワードに登場した日付５３４と記事毎の項目名５３６とが表示される。また、キーワードの総数を示し、他の項目を表示する。さらに、その他の関連するページへのリンク５４０が記載される。このようにキーワードが選択されて、ここで、追加（ＮＥＷ）され、又は更新された項目５１８が選択される（Ｎ２６）ことで項目が画面表示される（Ｎ１０）。
【０１９４】
以上、これらの項目を参照することで時事問題や注目されている項目を直ちに調べたり確認することが可能となる。
【０１９５】
（アンケート）
本発明に係るコンテンツマネジメントシステムにおける百科事典に関するアンケート表示３１０について図２３、図４７を用いて説明する。
【０１９６】
ここで、ひろばタブ１２４の一覧リンク集においてアンケート表示３１０が選択されると、図４７に示されるように左側バナーとしてアンケートリストボタン５４４と今週のアンケートボタン５４６とが表示される。
【０１９７】
アンケートリストボタン５４４が選択される（Ｏ２）と利用者端末３６よりｗｅｂアプリサーバ１０が、ＣＭＳ４経由でデータベース６にアクセスして、アンケートリストデータをＸＨＴＭＬとして読み込む（Ｏ４）。読み込まれたアンケートリストデータは、利用者端末３６の画面に表示される（Ｏ６）。アンケートリストを表示する画面５４２は、表題５４８と、質問内容５５０と、投票期間５５２が記載され、さらに表示件数５５４と、追加表示リンク５５６が表示される。この質問内容５５０を選択するとアンケート集計結果画面５５８が表示される。アンケート集計結果画面５５８は、表題５６０と、質問内容５６２と、選択枝５６２と数値が横型の棒グラフ５６４として表示される。
【０１９８】
一方、今週のアンケートボタン５４６が選択される（Ｏ８）と、利用者端末３６よりｗｅｂアプリサーバ１０が、ＣＭＳ４経由でデータベース６にアクセスして、今週のアンケート質問データと選択枝データをＸＨＴＭＬとして読み込まれる。読み込まれた今週のアンケート質問データと選択枝データは、利用者端末３６画面に質問文と選択枝データと対応するラジオボタンと決定ボタンが表示される。ここで、選択枝データに対応するラジオボタンが選択されて決定ボタンが選択されると、アンケート入力が利用者端末３６よりｗｅｂアプリサーバ１０が、ＣＭＳ４経由でデータベース６に入力することなる（Ｏ１０）。ここで、送信確認画面が利用者端末３６画面に表示される（Ｏ１２）。続いて、この入力結果を含めた、今週のアンケート結果の棒グラフが利用者端末３６画面に表示される（Ｏ１４）。
【０１９９】
このアンケート表示３１０によって、百科事典管理者の各項目に対する意見だけでなく、利用者総体の意見を把握することができる。
【０２００】
（調べ学習相談室）
本発明に係るコンテンツマネジメントシステムにおける百科事典に関する調べ学習相談室リンク３１２について説明する。
【０２０１】
この調べ学習相談室リンク３１２が選択されると、利用者端末３６よりｗｅｂアプリサーバ１０が、ＣＭＳ４経由でデータベース６にアクセスして、頻繁にされる質問データリンクの一覧をＸＨＴＭＬとして読み込む。この質問データ一覧の各質問リンクを選択すると回答が表示される。
【０２０２】
（教科書対応表リンク）
本発明に係るコンテンツマネジメントシステムにおける百科事典に関する教科書対応表リンク３１４について図２４、図４８を用いて説明する。
【０２０３】
ここで、ひろばタブ１２４の一覧リンク集において教科書対応表リンク３１４が選択されると、図４８に示されるように教科書対応表画面５７０の左側バナーとして小学校1年生ボタン５７２と小学校２年生ボタン５７４と小学校３年生ボタン５７６と小学校４年生ボタン５７８と小学校５年生ボタン５８０と小学校６年生ボタン５８２と中学校1年生ボタン５８４と中学校２年生ボタン５８６と中学校３年生ボタン５８８が表示される。
【０２０４】
また、教科書対応表画面５７０中央にも、小１〜中３（６０２〜６１８）まで、また教科は（国語、書写、算数、生活、音楽、図画工作、社会、理科、保健、家庭、英語、保健体育、技術・家庭）（６２０〜６６４）についての選択枝が表示される（Ｐ２）。ここで、学年と教科を選択する（Ｐ４）と、利用者端末３６よりｗｅｂアプリサーバ１０が、ＣＭＳ４経由でデータベース６にアクセスして、単元リスト６７８をＸＨＴＭＬとして読み込み、利用者端末３６に単元リスト画面６７０として表示する（Ｐ６）。
【０２０５】
そこで、この各単元が選択されると、再びデータベース６にアクセスして対応する百科事典の項目が読み出されて利用者端末３６の画面に表示される（Ｐ８）。
【０２０６】
（先生・保護者の部屋リンク）
本発明に係るコンテンツマネジメントシステムにおける百科事典に関する先生・保護者の部屋リンク３１６について図２５を用いて説明する。
【０２０７】
ここで、ひろばタブ１２４の一覧リンク集において先生・保護者の部屋リンク３１６が選択される（Ｑ２）と、利用者端末３６よりｗｅｂアプリサーバ１０が、ＣＭＳ４経由でデータベース６にアクセスしてデータベース６より、先生・保護者の部屋の電子掲示板データがＸＨＭＬデータとしてダウンロードされてデータが読み込まれ（Ｑ４）、先生・保護者の部屋の電子掲示板が表示される（Ｑ６）。
【０２０８】
先生・保護者の部屋の電子掲示板には、先生・保護者の部屋の電子掲示板の名前と、電子掲示板のテーマと、そのテーマに沿ったトピックが複数個掲載される。トピックには、トピックＮｏとトピック名とトピック提案者名とトピック作成日とトピック記事から構成され、さらにコメント閲覧ボタンとコメント作成ボタンが設けられる。この状態でコメントの書き込み待ち受け状態となる（Ｑ８）。
【０２０９】
コメント作成ボタンが選択され、コメント文章が入力され確定ボタン（図示せず）が選択されると、文章データがＸＭＬファイルとして利用者端末３６よりｗｅｂアプリサーバ１０が、ＣＭＳ４経由でデータベース６にアクセスしてデータベース６に格納される（Ｑ１０）。また、利用者端末３６には送信確認画面が表示される（Ｑ１２）。
【０２１０】
一方、トピック提案ボタンが選択されるとトピック名入力部とトピック記事入力部が表示され、確定ボタンを選択すると管理者へトピック作成依頼メールが送信される（Ｑ１４）。その後、利用者端末３６には送信確認画面が表示される（Ｑ１６）。
【０２１１】
本構成により、百科事典に関連する先生・保護者の部屋の電子掲示板を開設閲覧運用することが可能となる。
【産業上の利用可能性】
【０２１２】
本発明を実施することで、百科事典作成者はＨＴＭＬ等の知識を習得することなく、ホームページデザイナーはテキストが更新されるために作業を行なう必要がなくなるため、百科事典の更新が容易となり、最新の情報を専門化が正確に更新することができるので、利用者に最新の情報を提供することができると共に、子供などの情報リテラシーの低い者に対しても正確で安全な情報を提供することができる。
【図面の簡単な説明】
【０２１３】
【図１】本発明に係るコンテンツマネジメントシステムのブロックダイヤグラムである。
【図２】本発明に係るコンテンツマネジメントシステムのフロウチャートである。
【図３】本発明に係るコンテンツマネジメントシステムにおける利用者が本システムにログインするフロウチャートである。
【図４】本発明に係るコンテンツマネジメントシステムにおける利用者のログイン後のフロウチャートである。
【図５】本発明に係るコンテンツマネジメントシステムにおけるｗｅｂ表示のおける共通項表示に関するフロウチャートである。
【図６】本発明に係るコンテンツマネジメントシステムのホーム表示の詳細フロウチャートである。
【図７】本発明に係るコンテンツマネジメントシステムにおける百科事典の検索方法のフロウチャートである。
【図８】本発明に係るコンテンツマネジメントシステムにおける百科事典の本文に関するフロウチャートである。
【図９】本発明に係るコンテンツマネジメントシステムにおけるマルチメディアタブに関するフロウチャートである。
【図１０】本発明に係るコンテンツマネジメントシステムにおけるスクラップタブに関するフロウチャートである。
【図１１】本発明に係るコンテンツマネジメントシステムにおけるスクラップ登録に関するフロウチャートである。
【図１２】本発明に係るコンテンツマネジメントシステムにおけるスクラップリストに関するフロウチャートである。
【図１３】本発明に係るコンテンツマネジメントシステムにおけるスクラップ閲覧に関するフロウチャートである。
【図１４】本発明に係るコンテンツマネジメントシステムにおけるマイページタブに関するフロウチャートである。
【図１５】本発明に係るコンテンツマネジメントシステムにおけるポイント表示に関するフロウチャートである。
【図１６】本発明に係るコンテンツマネジメントシステムにおける連絡プログラム制御に関するフロウチャートである。
【図１７】本発明に係るコンテンツマネジメントシステムにおけるひろばタブに関するフロウチャートである。
【図１８】本発明に係るコンテンツマネジメントシステムにおけるＰＴＶ表示に関するフロウチャートである。
【図１９】本発明に係るコンテンツマネジメントシステムにおけるクイズ表示に関するフロウチャートである。
【図２０】本発明に係るコンテンツマネジメントシステムにおける電子掲示板表示に関するフロウチャートである。
【図２１】本発明に係るコンテンツマネジメントシステムにおけるホームページ表示に関するフロウチャートである。
【図２２】本発明に係るコンテンツマネジメントシステムにおけるコレクション表示に関するフロウチャートである。
【図２３】本発明に係るコンテンツマネジメントシステムにおけるアンケート表示に関するフロウチャートである。
【図２４】本発明に係るコンテンツマネジメントシステムにおける教科書対応表示に関するフロウチャートである。
【図２５】本発明に係るコンテンツマネジメントシステムにおける教師保護者電子掲示板表示に関するフロウチャートである。
【図２６】本発明に係るコンテンツマネジメントシステムのホーム表示ページ画面である。
【図２７】本発明に係るコンテンツマネジメントシステムにおける百科事典の見出し語検索のサンプル画面図である。
【図２８】本発明に係るコンテンツマネジメントシステムにおける百科事典の五十音検索のサンプル画面図である。
【図２９】本発明に係るコンテンツマネジメントシステムにおける百科事典のテーマ別検索のサンプル画面図である。
【図３０】本発明に係るコンテンツマネジメントシステムにおける百科事典の本文のサンプル画面である。
【図３１】本発明に係るコンテンツマネジメントシステムにおける百科事典のマルチメディア検索のサンプル画面である。
【図３２】本発明に係るコンテンツマネジメントシステムにおける百科事典のスクラップブックのサンプル画面である。
【図３３】本発明に係るコンテンツマネジメントシステムにおける百科事典のスクラップブックのサンプル画面である。
【図３４】本発明に係るコンテンツマネジメントシステムにおける百科事典のポイント表のサンプル画面である。
【図３５】本発明に係るコンテンツマネジメントシステムにおける百科事典のポイントグラフのサンプル画面である。
【図３６】本発明に係るコンテンツマネジメントシステムにおける百科事典のれんらく帳のサンプル画面である。
【図３７】本発明に係るコンテンツマネジメントシステムにおける百科事典のひろば表紙のサンプル画面である。
【図３８】本発明に係るコンテンツマネジメントシステムにおける百科事典のポプラディアＴＶリストのサンプル画面である。
【図３９】本発明に係るコンテンツマネジメントシステムにおける百科事典のポプラディアＴＶ人気リストのサンプル画面である。
【図４０】本発明に係るコンテンツマネジメントシステムにおける百科事典のテーマ別ポプラディアＴＶリストのサンプル画面である。
【図４１】本発明に係るコンテンツマネジメントシステムにおける百科事典のクイズのサンプル画面である。
【図４２】本発明に係るコンテンツマネジメントシステムにおける百科事典のクイズランキングのサンプル画面である。
【図４３】本発明に係るコンテンツマネジメントシステムにおける百科事典の電子掲示板のサンプル画面である。
【図４４】本発明に係るコンテンツマネジメントシステムにおける百科事典のホームページ閲覧のサンプル画面である。
【図４５】本発明に係るコンテンツマネジメントシステムにおける百科事典のＮＥＷ項目一覧のサンプル画面である。
【図４６】本発明に係るコンテンツマネジメントシステムにおける百科事典の項目コレクションのサンプル画面である。
【図４７】本発明に係るコンテンツマネジメントシステムにおける百科事典のアンケートリストのサンプル画面である。
【図４８】本発明に係るコンテンツマネジメントシステムにおける百科事典の教科書対応表のサンプル画面である。
【符号の説明】
【０２１４】
２  コンテンツマネジメントシステム
４  コンテンツマネジメントサーバ（ＣＭＳ）
６  データベース
８  仮想データ
１０  Ｗｅｂアプリサーバ
１２  マルチメディアデータ
１４  ＸＭＬファイル
１６  ＤＴＤデータ
１８  仮パス情報ファイル
２０  実パス情報ファイル
２２  画像データ
２４  映像データ
２６  音声データ
２８  静的データ
３０  ストレージデータ
３２  ＸＭＬファイル
３６  利用者端末
３８  管理者端末
４０  ｗｅｂブラウザ
４４  ＧＵＩ部
４６  ｗｅｂブラウザ
５０  プレビューＧＵＩ部
５２  管理用ＧＵＩ部
５４  テキスト
５６  マルチメディア
６０  共通項表示
６２  ホーム表示
６４  調査タブ
６６  本文タブ
６８  ＭＭタブ表示
７０  スクラップタブ表示
７２  マイページタブ表示
７４  ひろばタブ表示
８０  ユーザハンドル名
８２  ポイント数
８４  検索項目数
８６  「戻るボタン」
８８  「次へボタン」
９０  「ログアウトボタン」
９２  「ホームへボタン」
９４  「ヘルプボタン」
９６  「ふりがなボタン」
１００  「今日のキーワード」
１０２  「今週のランキング」
１０４  「今週のお知らせ」
１０６  「今週のテレビ」
１０８  「今週のクイズ」
１１０  「アンケート」
１１２  「リンク表示」
１１４  見出し語検索タブ
１１６  全文検索タブ
１１８  テーマ別検索タブ
１２３  表示画面
１２０  検索ボックス
１２２  検索ボタン
１２４  見出し語
１２６  単語が含まれる見出し語
１３０  本文に単語を含む見出し語
１３２  表示画面
１３４  文字選択部
１３６  見出し語表示部
１３８  文字表示部
１４０  タブ
１４２  カタカナタブ
１４４  アルファベットタブ
１４６  テーマ一覧表の表示画面
１４８  テーマ
１５０  中分類
１５２  「小分類」の一覧
１５４  見出し語
１５８  小見出しへのリンク情報
１６０  関連項目表示
１６２  検索履歴
１６４  前後項目
１６６  関連テーマ表示
１６８  関連サイト表示
１７０  利用者作成記事表示
１７２  印刷ボタン
１７４  スクラップボタン
１７６  クイズボタン
１７８  投票ボタン
１８０  映像・アニメーションリンク
１８２  音声データリンク
１８４  写真・イラストリンク
１８６  地図、図表、グラフ表示
１８８  学習資料表示
１９０  ＮＤＣ記号表示
１９２  漢字表記名
１９４  本項目表示回数
１９６  本項目表示回数順位
１９８  本項目評価点
２００  スクラップブック
２０２  ブック表示部
２０４  内部ページ表示部
２０６  マイ・スクラップブック
２０８  ブック作成ボタン
２１２  スクラップリスト
２１１  選択ボックス
２１４  最終閲覧日
２１６  登録日
２１８  レポートタイトル名
２２０  レポートの有無
２２２  項目名
２２４  移動ボタン
２２６  コピーボタン
２２８  削除ボタン
２３０  閲覧ページ
２３２  項目の文章
２３４  マイレポート欄
２３６  編集ボタン
２３８  編集画面
２４０  保存ボタン
２４２  プリントボタン
２５８、２６０  ポイントグラフ
２４１  ポイント表
２４４  項目
２４３  日付
２４６  本文ポイント
２４８  マルチメディアポイント
２５０  クイズポイント
２５２  ポプラディアポイント
２５４  合計ポイント
２５６  今月のポイント
２５８  他の月のポイント表のリンク
２７２  状態アイコン
２７４  題名
２７６  送信者
２７８  受信日
２８０  書面情報
２８２  タイトル
２８４  差出人名
２８６  受信した日
２８８  メッセージボックス
２９０  削除ボタン
２９２  返信作成ボタン
３００  テレビリンク
３０２  クイズリンク
３０４  電子掲示板リンク
３０６  みんなのＨＰリンク
３０８  みんなのスクラップブックリンク
３１０  アンケートリンク
３１２  調べ学習相談室リンク
３１４  教科書対応表リンク
３１６  先生・保護者の部屋リンク
３１８  お知らせ表示
３２０  みんなの声表示
３２２  Ｎｅｗ番組リンク
３２４  人気番組ランキングリンク
３２６  ジャンルで選ぶ番組リスト
３２８  人気クイズランキング
３３０  テーマ別クイズ
３０６  みんなのＨＰリンク
３３２  人気ホームページ
３３４  学年別ホームページ
３３６  テーマ別ホームページ
３３８  ＨＰのキーワード検索
３１２  調べ学習相談室リンク
３４４  調べ学習のポイント
３４６  よくある質問
３４８  テーマを探そう
３４０  人気スクラップブックランキング
３４２  テーマ別スクラップブック
３４７  画面
３４９  順位
３５０  閲覧回数
３５２  画像サムネール
３５４  コンテンツ名
３５６  リンク表
３５８  プルダウン式のリンク
３６０  一覧表
３６２  テーマ名
３６４  画像サムネール
３６６  コンテンツ名
３６８  追加リンク
３７０  個別のテーマ
３７２  表題
３７４  「人気クイズランキング」
３７６  クイズの挑戦者数の順位
３７８  クイズ挑戦者数
３８０  クイズ項目名
３８２  クイズ一部問題
４０６  リスト
４１０  クイズ問題表示
４１２  プルダウンフォーム
４１６  画面
４２０  電子掲示板画面
４２４  電子掲示板の名前
４２６  電子掲示板のテーマ
４３２  トピック
４３４  トピックＮｏ
４３６  トピック名
４３８  トピック提案者名
４４０  トピック作成日
４４２  トピック記事
４４４  コメント閲覧ボタン
４４６  コメント作成ボタン
４５２  トピック提案ボタン
４６２  閲覧ランキングボタン
４６４  管理者推薦ＨＰボタン
４６６  テーマ別ボタン
４６８  キーワード検索ボタン
４６０  閲覧ランキング画面
４７０  ランキング名称
４７２  表示順位
４７４  掲載ホームページの順位
４７６  掲載ホームページの閲覧者数
４７８  掲載ホームページの表題と要約
４８０  作者名
４８２  掲載ホームページ件数
４８４  ランキング更新日
４９２  項目コレクションバナー
４９４  「ＮＥＷ・更新」項目リスト
４９６  「今日のキーワード」項目集
４９０  画面
５００  公開日を
５０２  コレクションのタイトル
５０４  含まれる項目
５０６  項目を選択した管理者名
５０８  詳細な項目一覧
５１２  「今月の『ＮＥＷ・更新』項目
５１４  ＮＥＷ・更新日
５１６  ＮＥＷ区分又は更新区分の表示
５１８  追加（ＮＥＷ）され、又は更新された項目
５２２  追加表示ページへのリンク表示
５３０  画面
５３２  「今日のキーワード」項目
５３４  キーワードに登場した日付
５３６  記事毎の項目名
５４０  その他の関連するページへのリンク
５４４  アンケートリストボタン
５４６  今週のアンケートボタン
５４２  アンケートリストを表示する画面
５４８  表題
５５０  質問内容
５５２  投票期間
５５４  表示件数
５５６  追加表示リンク
５５８  アンケート集計結果画面
５６０  表題
５６２  質問内容
５６４  棒グラフ
５７０  教科書対応表画面
５７２  小学校1年生ボタン
５７４  小学校２年生ボタン
５７６  小学校３年生ボタン
５７８  小学校４年生ボタン
５８０  小学校５年生ボタン
５８２  小学校６年生ボタン
５８４  中学校1年生ボタン
５８６  中学校２年生ボタン
５８８  中学校３年生ボタン
６７８  単元リスト
６７０  単元リスト画面
【図１】
2008065397.tif 000003
【図２】
2008065397.tif 000004
【図３】
2008065397.tif 000005
【図４】
2008065397.tif 000006
【図５】
2008065397.tif 000007
【図６】
2008065397.tif 000008
【図７】
2008065397.tif 000009
【図８】
2008065397.tif 000010
【図９】
2008065397.tif 000011
【図１０】
2008065397.tif 000012
【図１１】
2008065397.tif 000013
【図１２】
2008065397.tif 000014
【図１３】
2008065397.tif 000015
【図１４】
2008065397.tif 000016
【図１５】
2008065397.tif 000017
【図１６】
2008065397.tif 000018
【図１７】
2008065397.tif 000019
【図１８】
2008065397.tif 000020
【図１９】
2008065397.tif 000021
【図２０】
2008065397.tif 000022
【図２１】
2008065397.tif 000023
【図２２】
2008065397.tif 000024
【図２３】
2008065397.tif 000025
【図２４】
2008065397.tif 000026
【図２５】
2008065397.tif 000027
【図２６】
2008065397.tif 000028
【図２７】
2008065397.tif 000029
【図２８】
2008065397.tif 000030
【図２９】
2008065397.tif 000031
【図３０】
2008065397.tif 000032
【図３１】
2008065397.tif 000033
【図３２】
2008065397.tif 000034
【図３３】
2008065397.tif 000035
【図３４】
2008065397.tif 000036
【図３５】
2008065397.tif 000037
【図３６】
2008065397.tif 000038
【図３７】
2008065397.tif 000039
【図３８】
2008065397.tif 000040
【図３９】
2008065397.tif 000041
【図４０】
2008065397.tif 000042
【図４１】
2008065397.tif 000043
【図４２】
2008065397.tif 000044
【図４３】
2008065397.tif 000045
【図４４】
2008065397.tif 000046
【図４５】
2008065397.tif 000047
【図４６】
2008065397.tif 000048
【図４７】
2008065397.tif 000049
【図４８】
2008065397.tif 000050